(57)【特許請求の範囲】
【請求項１】
額縁状の枠部材を備えるソーラーパネル部材と、
該ソーラーパネル部材が取り付けられ、底部と、低側壁と、該低側壁に相対する高側壁と、互いに相対する傾斜側壁とを備える箱型の架台と
を具備するソーラーパネル装置において、
前記各側壁の上端には水平フランジが設けられるとともに、該水平フランジに垂直な外壁が設けられ、
前記水平フランジに、前記ソーラーパネル部材を構成する額縁状の枠部材が載置状態とされているとともに、
前記低側壁の外壁の上端には係止庇部が形成されており、前記低側壁の水平フランジ、外壁、及び、係止庇部によって構成された嵌入凹部に、前記低側壁側に位置する前記枠部材が嵌入状態とされ、
前記傾斜側壁のうち前記高側壁側に位置する外壁には固着手段が設けられ、該固着手段にて前記ソーラーパネル部材が取り付けられていることを特徴とするソーラーパネル装置。
【請求項２】
額縁状の枠部材を備えるソーラーパネル部材と、
底部と、低側壁と、該低側壁に相対する高側壁と、互いに相対する傾斜側壁とを備える箱型の架台と
を具備するソーラーパネル装置の製造方法であって、
前記各側壁の上端には水平フランジが設けられるとともに、該水平フランジに垂直な外壁が設けられ、
前記低側壁の外壁の上端には係止庇部が形成されており、前記低側壁の水平フランジ、外壁、及び、係止庇部によって構成された嵌入凹部に、前記枠部材のうち、前記低側壁側に位置する部位を嵌入する工程と、
前記水平フランジに、前記ソーラーパネル部材を構成する額縁状の枠部材を載置する工程と、
前記傾斜側壁のうち前記高側壁側に位置する外壁に設けられた固着手段にて前記ソーラーパネル部材を取り付ける工程とを有することを特徴とするソーラーパネル装置の製造方法。
【発明の詳細な説明】
【技術分野】
【０００１】
本発明は、ソーラーパネル部材と、該ソーラーパネル部材が取り付けられる架台とからなるソーラーパネル装置及びその製造方法に関するものである。
【背景技術】
【０００２】
従来、ソーラーパネル部材が取り付けられる架台は、高さの異なるブロックや高さの異なるブロックを連結するフレーム材等から構成されており、架台の設置後に、ソーラーパネル部材を、架台に取り付けるようにしたソーラーパネル装置が、一例として、特許文献１に開示されている。
【先行技術文献】
【特許文献】
【０００３】
【特許文献１】特開平１１ー１７７１１４号公報
【発明の概要】
【発明が解決しようとする課題】
【０００４】
上述した特許文献１に開示されているソーラーパネル装置においては、高さの異なるブロックや高さの異なるブロックを連結するフレーム材等からなる架台を組み立てた後に、ソーラーパネル部材を設置しなければならず、架台の組み立てに、時間や労力や費用が係るという問題があった。
【０００５】
また、架台へのソーラーパネル部材の取り付けには、多くの取り付け部材が必要となり、架台へのソーラーパネル部材の取り付けに、多大の時間や労力や費用が係るという問題があった。
【０００６】
本発明の目的は、上述した従来のソーラーパネル装置が有する課題を解決することにある。
【課題を解決するための手段】
【０００７】
本発明は、上述した目的を達成するために、
額縁状の枠部材を備えるソーラーパネル部材と、
該ソーラーパネル部材が取り付けられ、底部と、低側壁と、該低側壁に相対する高側壁と、互いに相対する傾斜側壁とを備える箱型の架台と
を具備するソーラーパネル装置において、
前記各側壁の上端には水平フランジが設けられるとともに、該水平フランジに垂直な外壁が設けられ、
前記水平フランジに、前記ソーラーパネル部材を構成する額縁状の枠部材が載置状態とされているとともに、
前記低側壁の外壁の上端には係止庇部が形成されており、前記低側壁の水平フランジ、外壁、及び、係止庇部によって構成された嵌入凹部に、前記低側壁側に位置する前記枠部材が嵌入状態とされ、
前記傾斜側壁のうち前記高側壁側に位置する外壁には固着手段が設けられ、該固着手段にて前記ソーラーパネル部材が取り付けられていることを特徴とする。
また、額縁状の枠部材を備えるソーラーパネル部材と、
底部と、低側壁と、該低側壁に相対する高側壁と、互いに相対する傾斜側壁とを備える箱型の架台と
を具備するソーラーパネル装置の製造方法であって、
前記各側壁の上端には水平フランジが設けられるとともに、該水平フランジに垂直な外壁が設けられ、
前記低側壁の外壁の上端には係止庇部が形成されており、前記低側壁の水平フランジ、外壁、及び、係止庇部によって構成された嵌入凹部に、前記枠部材のうち、前記低側壁側に位置する部位を嵌入する工程と、
前記水平フランジに、前記ソーラーパネル部材を構成する額縁状の枠部材を載置する工程と、
前記傾斜側壁のうち前記高側壁側に位置する外壁に設けられた固着手段にて前記ソーラーパネル部材を取り付ける工程とを有することを特徴とする。
【発明の効果】
【０００８】
本発明によれば、ソーラーパネル装置の設置を、短時間に、且つ、容易に行なうことができる。
【図面の簡単な説明】
【０００９】
【図１】図１は、本発明のソーラーパネル装置の斜視図である。
【図２】図２は、本発明のソーラーパネル装置を構成する箱型架台の斜視図である。
【図３】図３は、本発明のソーラーパネル装置を構成するソーラーパネル部材の斜視図である。
【図４】図４は、本発明のソーラーパネル装置を構成する箱型架台の一部断面を含む部分拡大斜視図である。
【図５】図５は、本発明のソーラーパネル装置の組み立て順序を説明するための一部断面を含む斜視図である。
【図６】図６は、本発明のソーラーパネル装置の組み立て順序を説明するための一部断面を含む部分拡大斜視図である。
【図７】図７は、本発明のソーラーパネル装置が組み立てられた状態の垂直断面を含む側面図である。
【図８】図８は、本発明のソーラーパネル装置のソーラーパネル部材の箱型架台の取り付けを説明するための部分拡大斜視図である。
【実施例】
【００１０】
先ず最初に、図１〜図４を用いて、ソーラーパネル装置Ｓの全体構成について説明する。ソーラーパネル装置Ｓは、ソーラーパネル部材Ｓ１と、ソーラーパネル部材Ｓ１が取り付けられる架台Ｓ２とから構成されている。
【００１１】
ソーラーパネル部材Ｓ１は、ソーラーパネル１と、ソーラーパネル１を囲むように、ソーラーパネル１が取り付けられた額縁状の枠部材２とを有している。
【００１２】
次に、図２及び図４を用いて、架台Ｓ２について説明する。
【００１３】
架台Ｓ２は、箱型に形成されており、底部３と、一方の相対する側壁４、５とを有しており、一方の相対する側壁４、５のうちの一方の側壁４は、もう一方の側壁５より、高さが低く形成されている。以下、高さが低くい側壁４を、単に、低い側壁４と称し、高さが高い側壁５を、単に、高い側壁５と称する。架台Ｓ２のもう一方の相対する側壁６、６は、同一形状に形成されており、且つ、低い側壁４から高い側壁５に向かって上方に傾斜して形成されている。以下、もう一方の相対する側壁６、６を、単に、傾斜側壁６、６と称する。このように、架台Ｓ２は、底部３と、低くい側壁４と、高い側壁５と、傾斜側壁６、６とから形成されている。以下、このような架台Ｓ２を、箱型架台Ｓ２と称する。
【００１４】
低くい側壁４には、水平フランジ４ａと該水平フランジ４ａに垂直な外壁４ｂとが形成されており、また、高い側壁５にも、水平フランジ５ａと該水平フランジ５ａに垂直な外壁５ｂとが形成されており、更に、傾斜側壁６、６にも、それぞれ、水平フランジ６ａと該水平フランジ６ａに垂直な外壁６ｂとが形成されている。各水平フランジ４ａ、５ａ、６ａ、６ａの上面は、面一に形成されており、また、各外壁４ｂ、５ｂ、６ｂ、６ｂの上端も、面一に形成されている。
【００１５】
低くい側壁４の外壁４ｂの上端には、箱型架台Ｓ２の内部方向に向かって、且つ、水平フランジ４ａと略平行に、舌片状の係止庇部４ｃが形成されている。このような係止庇部４ｃを形成することにより、水平フランジ４ａと外壁４ｂと係止庇部４ｃとからなる、ソーラーパネル部材Ｓ１の額縁状の枠部材２が嵌入される嵌入凹部Ｈ１が形成されている。このような係止庇部４ｃ、換言すれば、嵌入凹部Ｈ１は、低くい側壁４の両端や両端付近に形成する。実施例には、係止庇部４ｃを、低くい側壁４の両端に、一対、形成されている例が示されているが、一対の係止庇部４ｃの中間部に、一個以上の係止庇部４ｃを形成することもできる。
【００１６】
また、傾斜側壁６の高い側壁５側に位置する外壁６ｂには、ボルトやリベット等の固着具挿入孔６ｂ１が穿設されている。
【００１７】
次に、図５〜図８を用いて、ソーラーパネル部材Ｓ１の箱型架台Ｓ２への取り付けについて説明する。
【００１８】
先ず最初に、図５に示されているように、ソーラーパネル部材Ｓ１の高い側壁５側が、高い側壁５から上方に位置するように傾斜させた後、ソーラーパネル部材Ｓ１を構成する額縁状の枠部材２の低くい側壁４側に位置する部分を、低くい側壁４に形成された嵌入凹部Ｈ１に嵌入する。その後、ソーラーパネル部材Ｓ１の高い側壁５側を下動させて、図７に示されているように、ソーラーパネル部材Ｓ１の枠部材２を、低くい側壁４の水平フランジ４ａ、高い側壁５の水平フランジ５ａ及び傾斜側壁６の水平フランジ６ａに載置することにより、ソーラーパネル部材Ｓ１を、箱型架台Ｓ２に設置する。なお、５ｃは、箱型架台Ｓ２を構成する高い側壁５の外壁５ｂに形成された、作業者の手が挿入可能な凹部であり、このような凹部５ｃを形成することにより、箱型架台Ｓ２へのソーラーパネル部材Ｓ１の取り付け作業を、容易に行なうことができる。
【００１９】
また、図８に示されているように、ソーラーパネル部材Ｓ１を構成する額縁状の枠部材２の傾斜側壁６側に位置する相対する枠部２ａのうち、高い側壁５側の枠部２ａには、固着具挿入孔６ｂ１に挿入される、一例としての固着具Ｂのボルトｂ１が螺合されるナットｂ２が取着されている。高い側壁５側の枠部２ａに取着されたナットｂ２に、ワッシャーｂ３を介して、ボルトｂ１を、螺合させることにより、ソーラーパネル部材Ｓ１が、箱型架台Ｓ２に取り付けられることになる。枠部材２が、合成樹脂で射出成形される場合には、ナットｂ２を、枠部材２と一体的に成形することができる。
【００２０】
箱型架台Ｓ２が、公知の容器のように、箱型架台Ｓ２同士を、ネスティングすることができるように構成されているので、ソーラーパネル装置の設置場所への搬送効率を高めることができる。
【００２１】
上述したように、箱型架台Ｓ２に、ソーラーパネル部材Ｓ１を取り付けるように構成したので、ソーラーパネル装置Ｓの設置を、短時間に、且つ、容易に行なうことができる。
【００２２】
また、箱型架台Ｓ２を構成する低くい側壁４の水平フランジ４ａ、高い側壁５の水平フランジ５ａ及び相対する傾斜側壁６、６の水平フランジ６ａに、ソーラーパネル部材Ｓ１を構成する額縁状の枠部材２を載置するとともに、低くい側壁４側に位置する枠部材２を、低くい側壁４の水平フランジ４ａと外壁４ｂと外壁４ｂの上端に形成された係止庇部４ｃとからなる嵌入凹部Ｈ１に嵌入するように構成したので、ソーラーパネル装置Ｓを、短時間に、且つ、容易に設置することができる。
【符号の説明】
【００２３】
Ｈ１・・・・・・・・・・嵌入凹部
Ｓ・・・・・・・・・・・ソーラーパネル装置
Ｓ１・・・・・・・・・・ソーラーパネル部材
Ｓ２・・・・・・・・・・箱型架台
１・・・・・・・・・・・ソーラーパネル
２・・・・・・・・・・・枠部材
３・・・・・・・・・・・底部
４・・・・・・・・・・・低い側壁
４ｃ・・・・・・・・・・係止庇部
５・・・・・・・・・・・高い側壁
６・・・・・・・・・・・傾斜側壁
【図１】
0005912797.tif 000002
【図２】
0005912797.tif 000003
【図３】
0005912797.tif 000004
【図４】
0005912797.tif 000005
【図５】
0005912797.tif 000006
【図６】
0005912797.tif 000007
【図７】
0005912797.tif 000008
【図８】
0005912797.tif 000009